(57)【要約】  本開示の実施例は、リソース処理方法及び機器を提供しており、当該方法は、セルレベルのリソース設定の他に、１つ又は複数の下りリンクリソースを設定し、及び／又は１つ又は複数の上りリンクリソースを設定することを含む。【選択図】  図４
2021534649.tif 000002
【特許請求の範囲】
【請求項１】
第一ノードに適用されるリソース処理方法であって、
セルレベルのリソース設定の他に、１つ又は複数の下りリンクリソースを設定し、及び／又は１つ又は複数の上りリンクリソースを設定することを含む、リソース処理方法。
【請求項２】
前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交する、請求項１に記載の方法。
【請求項３】
前記設定される１つ又は複数の下りリンクリソース及び／又は１つ又は複数の上りリンクリソースは、セルレベルのもの又は専用のものである、請求項１に記載の方法。
【請求項４】
前記下りリンクリソースは、同期及び／又はブロードキャストチャネルブロック、及び／又はチャネル状態情報基準信号を含む、請求項１に記載の方法。
【請求項５】
前記下りリンクリソースは、第二ノードのバックホールリンク用に設定される下りリンクリソースである、請求項１に記載の方法。
【請求項６】
前記同期及び／又はブロードキャストチャネルブロックは、
前記第一ノードのシステム情報ブロック１における、同期信号ブロックＳＳＢ（Ｓｙｎｃｈｒｏｎｏｕｓ  Ｓｉｇｎａｌ  Ｂｌｏｃｋ）のバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである、請求項４に記載の方法。
【請求項７】
前記上りリンクリソースは、物理ランダムアクセスチャネル伝送機会を含む、請求項１に記載の方法。
【請求項８】
前記上りリンクリソースは、第二ノードのバックホールリンク用に設定される上りリンクリソースである、請求項１に記載の方法。
【請求項９】
前記上りリンクリソースと、前記第一ノードによって設定されたセルレベルのランダムアクセス機会又は有効なランダムアクセス機会とは、時間的に、固定のオフセット値がある、請求項１に記載の方法。
【請求項１０】
前記オフセット値は、第一ノードによって明示的に設定されたものである、請求項９に記載の方法。
【請求項１１】
前記上りリンクリソースは、前記第一ノードによって設定されたセルレベルのリソースに基づいて特定されたものである、請求項１に記載の方法。
【請求項１２】
前記上りリンクリソースは、前記第一ノードによって設定されたセルレベルのリソースとは独立して設定されたものである、請求項１に記載の方法。
【請求項１３】
第二ノードに適用されるリソース処理方法であって、
セルレベルのリソース設定の他に、第一ノードによって設定された１つ又は複数の下りリンクリソースを取得し、及び／又は第一ノードによって設定された１つ又は複数の上りリンクリソースを取得することを含む、リソース処理方法。
【請求項１４】
前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交する、請求項１３に記載の方法。
【請求項１５】
前記設定された１つ又は複数の下りリンクリソース及び／又は１つ又は複数の上りリンクリソースは、セルレベルのもの又は専用のものである、請求項１３に記載の方法。
【請求項１６】
前記下りリンクリソースは、同期及び／又はブロードキャストチャネルブロック、及び／又はチャネル状態情報基準信号を含む、請求項１３に記載の方法。
【請求項１７】
前記下りリンクリソースは、第二ノードのバックホールリンク用に設定された下りリンクリソースである、請求項１３に記載の方法。
【請求項１８】
前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである、請求項１６に記載の方法。
【請求項１９】
前記上りリンクリソースは、物理ランダムアクセスチャネル伝送機会を含む、請求項１３に記載の方法。
【請求項２０】
前記上りリンクリソースは、第二ノードのバックホールリンク用に設定された上りリンクリソースである、請求項１３に記載の方法。
【請求項２１】
前記上りリンクリソースと、前記第一ノードによって設定されたセルレベルのランダムアクセス機会又は有効なランダムアクセス機会とは、時間的に、固定のオフセット値がある、請求項１３に記載の方法。
【請求項２２】
前記オフセット値は、第一ノードによって明示的に設定されたものである、請求項２１に記載の方法。
【請求項２３】
前記上りリンクリソースは、前記第一ノードによって設定されたセルレベルのリソースに基づいて特定されたものである、請求項１３に記載の方法。
【請求項２４】
前記上りリンクリソースは、前記第一ノードによって設定されたセルレベルのリソースとは独立して設定されたものである、請求項１３に記載の方法。
【請求項２５】
第三ノードに適用されるリソース処理方法であって、
バックホール関連の下りリンクリソース関連情報及び上りリンクリソース関連情報に従って、有効なランダムアクセス機会を特定することを含む、リソース処理方法。
【請求項２６】
前記バックホール関連の下りリンクリソース関連情報は、
上位層シグナリングによって設定されたバックホール下りリンクリソースと、
同期及び／又はブロードキャスト信号ブロックとのうち、少なくとも１つを含む、
請求項２５に記載の方法。
【請求項２７】
前記バックホール関連の上りリンクリソース関連情報は、
上位層シグナリングによって設定されたバックホール上りリンクリソースと、
ランダムアクセスリソースとのうち、少なくとも１つを含む、請求項２５に記載の方法。
【請求項２８】
前記有効なランダムアクセス機会は、
前記バックホール上りリンクリソース内にあり、且つ第一有効なランダムアクセス機会と重ならないランダムアクセス機会、及び／又は
前記バックホール下りリンクリソースの最終シンボルの後のＮ個の間隔シンボル後のリソース内、又は前記同期及び／又はブロードキャスト信号ブロックの最終シンボルの後のＮ個の間隔シンボル後のリソース内にあり、且つ第一有効なランダムアクセス機会と重ならないランダムアクセス機会、及び／又は
前記ランダムアクセスリソースタイムスロット内の同期及び／又はブロードキャスト信号ブロックの前に現れず、前記バックホール下りリンクリソースの最終シンボルの後のＮ（Ｎは０以上である）個の間隔シンボル後のリソース内、又は前記同期及び／又はブロードキャスト信号ブロックの最終シンボルの後のＮ（Ｎは０以上である）個の間隔シンボル後のリソース内にあり、且つ第一有効なランダムアクセス機会と重ならないランダムアクセス機会を含む、請求項２５〜２７の何れか一項に記載の方法。
【請求項２９】
前記同期及び／又はブロードキャスト信号ブロックは、ｓｓｂ−ＰｏｓｉｔｉｏｎｓＩｎＢｕｒｓｔで設定された同期及び／又はブロードキャスト信号ブロックと同じであるか、
或いは、
前記同期及び／又はブロードキャスト信号ブロックは、上位層シグナリングによって再設定された第一ＳＳＢフォーマットであり、前記第一ＳＳＢフォーマットは、前記ｓｓｂ−ＰｏｓｉｔｉｏｎｓＩｎＢｕｒｓｔで設定されたＳＳＢフォーマット内のサブセットである、請求項２６に記載の方法。
【請求項３０】
前記第一有効なランダムアクセス機会は、上位層シグナリングによって設定された下りリンクリソース情報及び上りリンクリソース関連情報に従って特定された有効なランダムアクセス機会である、請求項２８に記載の方法。
【請求項３１】
前記有効なランダムアクセス機会と、同期及び／又はブロードキャスト信号ブロックとに基づいて、アソシエーション・マッピングを行う、請求項２５に記載の方法。
【請求項３２】
第一送受信機及び第一プロセッサを含み、
前記第一送受信機は、セルレベルのリソース設定の他に、１つ又は複数の下りリンクリソースを設定し、及び／又は１つ又は複数の上りリンクリソースを設定するためのものである、第一ノード。
【請求項３３】
前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交する、請求項３２に記載の第一ノード。
【請求項３４】
前記設定される１つ又は複数の下りリンクリソース及び／又は１つ又は複数の上りリンクリソースは、セルレベルのもの又は専用のものである、請求項３２に記載の第一ノード。
【請求項３５】
前記下りリンクリソースは、同期及び／又はブロードキャストチャネルブロック、及び／又はチャネル状態情報基準信号を含む、請求項３２に記載の第一ノード。
【請求項３６】
前記下りリンクリソースは、第二ノードのバックホールリンク用に設定される下りリンクリソースである、請求項３２に記載の第一ノード。
【請求項３７】
前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである、請求項３５に記載の第一ノード。
【請求項３８】
前記上りリンクリソースは、物理ランダムアクセスチャネル伝送機会を含む、請求項３２に記載の第一ノード。
【請求項３９】
前記上りリンクリソースは、第二ノードのバックホールリンク用に設定される上りリンクリソースである、請求項３２に記載の第一ノード。
【請求項４０】
前記上りリンクリソースと、前記第一ノードによって設定されたセルレベルのランダムアクセス機会又は有効なランダムアクセス機会とは、時間的に、固定のオフセット値がある、請求項３２に記載の第一ノード。
【請求項４１】
前記オフセット値は、第一ノードによって明示的に設定されたものである、請求項４０に記載の第一ノード。
【請求項４２】
前記上りリンクリソースは、前記第一ノードによって設定されたセルレベルのリソースに基づいて特定されたものである、請求項３２に記載の第一ノード。
【請求項４３】
前記上りリンクリソースは、前記第一ノードによって設定されたセルレベルのリソースとは独立して設定されたものである、請求項３２に記載の第一ノード。
【請求項４４】
第二送受信機及び第二プロセッサを含み、
前記第二送受信機は、セルレベルのリソース設定の他に、第一ノードによって設定された１つ又は複数の下りリンクリソースを取得し、及び／又は第一ノードによって設定された１つ又は複数の上りリンクリソースを取得するためのものである、第二ノード。
【請求項４５】
前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交する、請求項４４に記載の第二ノード。
【請求項４６】
前記設定された１つ又は複数の下りリンクリソース及び／又は１つ又は複数の上りリンクリソースは、セルレベルのもの又は専用のものである、請求項４４に記載の第二ノード。
【請求項４７】
前記下りリンクリソースは、同期及び／又はブロードキャストチャネルブロック、及び／又はチャネル状態情報基準信号を含む、請求項４４に記載の第二ノード。
【請求項４８】
前記下りリンクリソースは、第二ノードのバックホールリンク用に設定された下りリンクリソースである、請求項４４に記載の第二ノード。
【請求項４９】
前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである、請求項４７に記載の第二ノード。
【請求項５０】
前記上りリンクリソースは、物理ランダムアクセスチャネル伝送機会を含む、請求項４４に記載の第二ノード。
【請求項５１】
前記上りリンクリソースは、第二ノードのバックホールリンク用に設定された上りリンクリソースである、請求項４４に記載の第二ノード。
【請求項５２】
前記上りリンクリソースと、前記第一ノードによって設定されたセルレベルのランダムアクセス機会又は有効なランダムアクセス機会とは、時間的に、固定のオフセット値がある、請求項４４に記載の第二ノード。
【請求項５３】
前記オフセット値は、第一ノードによって明示的に設定されたものである、請求項５２に記載の第二ノード。
【請求項５４】
前記上りリンクリソースは、前記第一ノードによって設定されたセルレベルのリソースに基づいて特定されたものである、請求項４４に記載の第二ノード。
【請求項５５】
前記上りリンクリソースは、前記第一ノードによって設定されたセルレベルのリソースとは独立して設定されたものである、請求項４４に記載の第二ノード。
【請求項５６】
第三送受信機及び第三プロセッサを含み、
前記第三プロセッサは、バックホール関連の下りリンクリソース関連情報及び上りリンクリソース関連情報に従って、有効なランダムアクセス機会を特定するためのものである、第三ノード。
【請求項５７】
前記バックホール関連の下りリンクリソース関連情報は、
上位層シグナリングによって設定されたバックホール下りリンクリソースと、
同期及び／又はブロードキャスト信号ブロックとのうち、少なくとも１つを含む、請求項５６に記載の第三ノード。
【請求項５８】
前記バックホール関連の上りリンクリソース関連情報は、
上位層シグナリングによって設定されたバックホール上りリンクリソースと、
ランダムアクセスリソースとのうち、少なくとも１つを含む、請求項５６に記載の第三ノード。
【請求項５９】
前記有効なランダムアクセス機会は、
前記バックホール上りリンクリソース内にあり、且つ第一有効なランダムアクセス機会と重ならないランダムアクセス機会、及び／又は
前記バックホール下りリンクリソースの最終シンボルの後のＮ個の間隔シンボル後のリソース内、又は前記同期及び／又はブロードキャスト信号ブロックの最終シンボルの後のＮ個の間隔シンボル後のリソース内にあり、且つ第一有効なランダムアクセス機会と重ならないランダムアクセス機会、及び／又は
前記ランダムアクセスリソースタイムスロット内の同期及び／又はブロードキャスト信号ブロックの前に現れず、前記バックホール下りリンクリソースの最終シンボルの後のＮ（Ｎは０以上である）個の間隔シンボル後のリソース内、又は前記同期及び／又はブロードキャスト信号ブロックの最終シンボルの後のＮ（Ｎは０以上である）個の間隔シンボル後のリソース内にあり、且つ第一有効なランダムアクセス機会と重ならないランダムアクセス機会を含む、請求項５６〜５８の何れか一項に記載の第三ノード。
【請求項６０】
前記同期及び／又はブロードキャスト信号ブロックは、ｓｓｂ−ＰｏｓｉｔｉｏｎｓＩｎＢｕｒｓｔで設定された同期及び／又はブロードキャスト信号ブロックと同じであるか、
或いは、
前記同期及び／又はブロードキャスト信号ブロックは、上位層シグナリングによって再設定された第一ＳＳＢフォーマットであり、前記第一ＳＳＢフォーマットは、前記ｓｓｂ−ＰｏｓｉｔｉｏｎｓＩｎＢｕｒｓｔで設定されたＳＳＢフォーマット内のサブセットである、請求項５７に記載の第三ノード。
【請求項６１】
前記第一有効なランダムアクセス機会は、上位層シグナリングによって設定された下りリンクリソース情報及び上りリンクリソース関連情報に従って特定された有効なランダムアクセス機会である、請求項５９に記載の第三ノード。
【請求項６２】
前記有効なランダムアクセス機会と、同期及び／又はブロードキャスト信号ブロックとに基づいて、アソシエーション・マッピングを行う、請求項５６に記載の第三ノード。
【請求項６３】
プロセッサと、メモリと、前記メモリに記憶されて前記プロセッサ上で動作可能なコンピュータプログラムとを含み、前記コンピュータプログラムが前記プロセッサによって実行されると、請求項１〜１２の何れか一項に記載のリソース処理方法が実現される、第一ノード。
【請求項６４】
プロセッサと、メモリと、前記メモリに記憶されて前記プロセッサ上で動作可能なコンピュータプログラムとを含み、前記コンピュータプログラムが前記プロセッサによって実行されると、請求項１３〜２４の何れか一項に記載のリソース処理方法が実現される、第二ノード。
【請求項６５】
プロセッサと、メモリと、前記メモリに記憶されて前記プロセッサ上で動作可能なコンピュータプログラムとを含み、前記コンピュータプログラムが前記プロセッサによって実行されると、請求項２５〜３１の何れか一項に記載のリソース処理方法が実現される、第三ノード。
【請求項６６】
コンピュータプログラムを記憶したコンピュータ読取可能な記憶媒体であって、
前記コンピュータプログラムがプロセッサによって実行されると、請求項１〜１２の何れか一項に記載のリソース処理方法が実現されるか、或いは、前記コンピュータプログラムがプロセッサによって実行されると、請求項１３〜２４の何れか一項に記載のリソース処理方法が実現されるか、或いは、前記コンピュータプログラムがプロセッサによって実行されると、請求項２５〜３１の何れか一項に記載のリソース処理方法が実現される、コンピュータ読取可能な記憶媒体。
【発明の詳細な説明】
【技術分野】
【０００１】
関連出願の相互参照
本願は、２０１８年８月１０日に中国で出願された中国特許出願第２０１８１０９０７９９６．２号の優先権を主張し、その内容の全ては、援用により本願に組み込まれる。
本開示は、無線分野に関し、特に、リソース処理方法及び機器に関する。
【背景技術】
【０００２】
第五世代移動通信技術５Ｇ（ｆｉｆｔｈ−ｇｅｎｅｒａｔｉｏｎ）のホットスポット高容量シーンの応用需要を満たすために、将来の５Ｇ展開（ｄｅｐｌｏｙ）では、高周波数帯域の高密度展開を採用する必要がある。光ファイバに対する需要を減らしてコストを低減するためには、統合アクセスバックホール（Ｉｎｔｅｇｒａｔｅｄ  Ａｃｃｅｓｓ  ａｎｄ  Ｂａｃｋｈａｕｌ、ＩＡＢ）という技術を利用して、高周波基地局のアクセス機能にバックホール機能を追加することで、高周波展開時に、光ファイバをコアネットワークに接続することがなく、無線リンクによってバックホール機能を実現可能にする必要がある。
【０００３】
新しい無線ＮＲ（ＮＥＷ  Ｒａｄｉｏ）システムでは、有効なランダムアクセス機会Ｖａｌｉｄ  ＲＯ（Ｖａｌｉｄ  ｒａｎｄｏｍ  ａｃｃｅｓｓ  ｏｐｐｏｒｔｕｎｉｔｙ）と同期及び／又はブロードキャストチャネルブロックＳＳ／ＰＢＣＨ  Ｂｌｏｃｋ（Ｓｙｎｃｈｒｏｎｏｕｓ  Ｓｉｇｎａｌ／Ｐｈｙｓｉｃａｌ  Ｂｒｏａｄｃａｓｔ  Ｃｈａｎｎｅｌ  Ｂｌｏｃｋ）のアソシエーション・マッピングにより、使用可能なバックホール物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）リソースをＩＡＢノードが見つけられないという問題は、発生してしまう。
【発明の概要】
【発明が解決しようとする課題】
【０００４】
本開示の実施例は、使用可能なバックホールＰＲＡＣＨリソースをノードが見つけられないという問題を解決するためのリソース処理方法及び機器を提供している。
【課題を解決するための手段】
【０００５】
第一態様において、本開示は、第一ノードに適用されるリソース処理方法であって、
セルレベルのリソース設定の他に、１つ又は複数の下りリンクリソースを設定し、及び／又は１つ又は複数の上りリンクリソースを設定することを含む、リソース処理方法を提供している。
【０００６】
選択的に、前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交する。
【０００７】
選択的に、前記設定される１つ又は複数の下りリンクリソース及び／又は１つ又は複数の上りリンクリソースは、セルレベルのもの又は専用のものである。
【０００８】
選択的に、前記下りリンクリソースは、同期及び／又はブロードキャストチャネルブロック、及び／又はチャネル状態情報基準信号を含む。
【０００９】
選択的に、前記下りリンクリソースは、第二ノードのバックホールリンク用に設定される下りリンクリソースである。
【００１０】
選択的に、前記同期及び／又はブロードキャストチャネルブロックは、
前記第一ノードのシステム情報ブロック１における、同期信号ブロックＳＳＢ（Ｓｙｎｃｈｒｏｎｏｕｓ  Ｓｉｇｎａｌ  Ｂｌｏｃｋ）のバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである。
【００１１】
選択的に、前記上りリンクリソースは、物理ランダムアクセスチャネル伝送機会を含む。
【００１２】
選択的に、前記上りリンクリソースは、第二ノードのバックホールリンク用に設定される上りリンクリソースである。
【００１３】
選択的に、前記上りリンクリソースと、前記第一ノードによって設定されたセルレベルのランダムアクセス機会又は有効なランダムアクセス機会とは、時間的に、固定のオフセット値がある。
【００１４】
選択的に、前記オフセット値は、第一ノードによって明示的に設定されたものである。
【００１５】
選択的に、前記上りリンクリソースは、前記第一ノードによって設定されたセルレベルのリソースに基づいて特定されたものである。
【００１６】
選択的に、前記上りリンクリソースは、前記第一ノードによって設定されたセルレベルのリソースとは独立して設定されたものである。
【００１７】
第二態様において、本開示の実施例は、第二ノードに適用されるリソース処理方法であって、
セルレベルのリソース設定の他に、第一ノードによって設定された１つ又は複数の下りリンクリソースを取得し、及び／又は第一ノードによって設定された１つ又は複数の上りリンクリソースを取得することを含む、リソース処理方法を更に提供している。
【００１８】
選択的に、前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交する。
【００１９】
選択的に、前記設定された１つ又は複数の下りリンクリソース及び／又は１つ又は複数の上りリンクリソースは、セルレベルのもの又は専用のものである。
【００２０】
選択的に、前記下りリンクリソースは、同期及び／又はブロードキャストチャネルブロック、及び／又はチャネル状態情報基準信号を含む。
【００２１】
選択的に、前記下りリンクリソースは、第二ノードのバックホールリンク用に設定された下りリンクリソースである。
【００２２】
選択的に、前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである。
【００２３】
選択的に、前記上りリンクリソースは、物理ランダムアクセスチャネル伝送機会を含む。
【００２４】
選択的に、前記上りリンクリソースは、第二ノードのバックホールリンク用に設定された上りリンクリソースである。
【００２５】
選択的に、前記上りリンクリソースと、前記第一ノードによって設定されたセルレベルのランダムアクセス機会又は有効なランダムアクセス機会とは、時間的に、固定のオフセット値がある。
【００２６】
選択的に、前記オフセット値は、第一ノードによって明示的に設定されたものである。
【００２７】
選択的に、前記上りリンクリソースは、前記第一ノードによって設定されたセルレベルのリソースに基づいて特定されたものである。
【００２８】
選択的に、前記上りリンクリソースは、前記第一ノードによって設定されたセルレベルのリソースとは独立して設定されたものである。
【００２９】
第四態様において、本開示の実施例は、第三ノードに適用されるリソース処理方法であって、
バックホール関連の下りリンクリソース関連情報及び上りリンクリソース関連情報に従って、有効なランダムアクセス機会を特定することを含む、リソース処理方法を更に提供している。
【００３０】
選択的に、前記バックホール関連の下りリンクリソース関連情報は、
上位層シグナリングによって設定されたバックホール下りリンクリソースと、
同期及び／又はブロードキャスト信号ブロックとのうち、少なくとも１つを含む。
【００３１】
選択的に、前記バックホール関連の上りリンクリソース関連情報は、
上位層シグナリングによって設定されたバックホール上りリンクリソースと、
ランダムアクセスリソースとのうち、少なくとも１つを含む。
【００３２】
前記有効なランダムアクセス機会は、
前記バックホール上りリンクリソース内にあり、且つ第一有効なランダムアクセス機会と重ならないランダムアクセス機会、及び／又は
前記バックホール下りリンクリソースの最終シンボルの後のＮ個の間隔シンボル後のリソース内、又は前記同期及び／又はブロードキャスト信号ブロックの最終シンボルの後のＮ個の間隔シンボル後のリソース内にあり、且つ第一有効なランダムアクセス機会と重ならないランダムアクセス機会、及び／又は
前記ランダムアクセスリソースタイムスロット内の同期及び／又はブロードキャスト信号ブロックの前に現れず、前記バックホール下りリンクリソースの最終シンボルの後のＮ（Ｎは０以上である）個の間隔シンボル後のリソース内、又は前記同期及び／又はブロードキャスト信号ブロックの最終シンボルの後のＮ（Ｎは０以上である）個の間隔シンボル後のリソース内にあり、且つ第一有効なランダムアクセス機会と重ならないランダムアクセス機会を含む。
【００３３】
選択的に、前記同期及び／又はブロードキャスト信号ブロックは、ｓｓｂ−ＰｏｓｉｔｉｏｎｓＩｎＢｕｒｓｔで設定された同期及び／又はブロードキャスト信号ブロックと同じであるか、
或いは、
前記同期及び／又はブロードキャスト信号ブロックは、上位層シグナリングによって再設定された第一ＳＳＢフォーマットであり、前記第一ＳＳＢフォーマットは、前記ｓｓｂ−ＰｏｓｉｔｉｏｎｓＩｎＢｕｒｓｔで設定されたＳＳＢフォーマット内のサブセットである。
【００３４】
選択的に、前記第一有効なランダムアクセス機会は、上位層シグナリングによって設定された下りリンクリソース情報及び上りリンクリソース関連情報に従って特定された有効なランダムアクセス機会である。
【００３５】
選択的に、前記有効なランダムアクセス機会と、同期及び／又はブロードキャスト信号ブロックとに基づいて、アソシエーション・マッピングを行う。
【００３６】
第五態様において、本開示の実施例は、第一送受信機及び第一プロセッサを含み、
前記第一送受信機は、セルレベルのリソース設定の他に、１つ又は複数の下りリンクリソースを設定し、及び／又は１つ又は複数の上りリンクリソースを設定するためのものである、第一ノードを更に提供している。
【００３７】
選択的に、前記上りリンクリソースは、少なくとも、前記下りリンクリソースに対応するランダムアクセスチャネル伝送機会を含むか、或いは、前記上りリンクリソースと、前記第一ノードによって設定されたセルレベルのランダムアクセス機会又は有効なランダムアクセス機会とは、時間的に直交する。
【００３８】
選択的に、前記設定される１つ又は複数の下りリンクリソース及び／又は１つ又は複数の上りリンクリソースは、セルレベルのもの又は専用のものである。
【００３９】
選択的に、前記下りリンクリソースは、同期及び／又はブロードキャストチャネルブロック、及び／又はチャネル状態情報基準信号を含む。
【００４０】
選択的に、前記下りリンクリソースは、第二ノードのバックホールリンク用に設定される下りリンクリソースである。
【００４１】
選択的に、前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである。
【００４２】
選択的に、前記上りリンクリソースは、物理ランダムアクセスチャネル伝送機会を含む。
【００４３】
選択的に、前記上りリンクリソースは、第二ノードのバックホールリンク用に設定される上りリンクリソースである。
【００４４】
選択的に、前記上りリンクリソースと、前記第一ノードによって設定されたセルレベルのランダムアクセス機会又は有効なランダムアクセス機会とは、時間的に、固定のオフセット値がある。
【００４５】
選択的に、前記オフセット値は、第一ノードによって明示的に設定されたものである。
【００４６】
選択的に、前記上りリンクリソースは、前記第一ノードによって設定されたセルレベルのリソースに基づいて特定されたものである。
【００４７】
選択的に、前記上りリンクリソースは、前記第一ノードによって設定されたセルレベルのリソースとは独立して設定されたものである。
【００４８】
第四態様において、本開示の実施例は、第二送受信機及び第二プロセッサを含み、
前記第二送受信機は、セルレベルのリソース設定の他に、第一ノードによって設定された１つ又は複数の下りリンクリソースを取得し、及び／又は第一ノードによって設定された１つ又は複数の上りリンクリソースを取得するためのものである、第二ノードを更に提供している。
【００４９】
選択的に、前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交する。
【００５０】
選択的に、前記設定された１つ又は複数の下りリンクリソース及び／又は１つ又は複数の上りリンクリソースは、セルレベルのもの又は専用のものである。
【００５１】
選択的に、前記下りリンクリソースは、同期及び／又はブロードキャストチャネルブロック、及び／又はチャネル状態情報基準信号を含む。
【００５２】
選択的に、前記下りリンクリソースは、第二ノードのバックホールリンク用に設定された下りリンクリソースである。
【００５３】
選択的に、前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである。
【００５４】
選択的に、前記上りリンクリソースは、物理ランダムアクセスチャネル伝送機会を含む。
【００５５】
選択的に、前記上りリンクリソースは、第二ノードのバックホールリンク用に設定された上りリンクリソースである。
【００５６】
選択的に、前記上りリンクリソースと、前記第一ノードによって設定されたセルレベルのランダムアクセス機会又は有効なランダムアクセス機会とは、時間的に、固定のオフセット値がある。
【００５７】
選択的に、前記オフセット値は、第一ノードによって明示的に設定されたものである。
【００５８】
選択的に、前記上りリンクリソースは、前記第一ノードによって設定されたセルレベルのリソースに基づいて特定されたものである。
【００５９】
選択的に、前記上りリンクリソースは、前記第一ノードによって設定されたセルレベルのリソースとは独立して設定されたものである。
【００６０】
第五態様において、本開示の実施例は、第三送受信機及び第三プロセッサを含み、
前記第三プロセッサは、バックホール関連の下りリンクリソース関連情報及び上りリンクリソース関連情報に従って、有効なランダムアクセス機会を特定するためのものである、第三ノードを更に提供している。
【００６１】
選択的に、前記バックホール関連の下りリンクリソース関連情報は、
上位層シグナリングによって設定されたバックホール下りリンクリソースと、
同期及び／又はブロードキャスト信号ブロックとのうち、少なくとも１つを含む。
【００６２】
選択的に、前記バックホール関連の上りリンクリソース関連情報は、
上位層シグナリングによって設定されたバックホール上りリンクリソースと、
ランダムアクセスリソースとのうち、少なくとも１つを含む。
【００６３】
選択的に、前記有効なランダムアクセス機会は、
前記バックホール上りリンクリソース内にあり、且つ第一有効なランダムアクセス機会と重ならないランダムアクセス機会、及び／又は
前記バックホール下りリンクリソースの最終シンボルの後のＮ個の間隔シンボル後のリソース内、又は前記同期及び／又はブロードキャスト信号ブロックの最終シンボルの後のＮ個の間隔シンボル後のリソース内にあり、且つ第一有効なランダムアクセス機会と重ならないランダムアクセス機会、及び／又は
前記ランダムアクセスリソースタイムスロット内の同期及び／又はブロードキャスト信号ブロックの前に現れず、前記バックホール下りリンクリソースの最終シンボルの後のＮ（Ｎは０以上である）個の間隔シンボル後のリソース内、又は前記同期及び／又はブロードキャスト信号ブロックの最終シンボルの後のＮ（Ｎは０以上である）個の間隔シンボル後のリソース内にあり、且つ第一有効なランダムアクセス機会と重ならないランダムアクセス機会を含む。
【００６４】
選択的に、前記同期及び／又はブロードキャスト信号ブロックは、ｓｓｂ−ＰｏｓｉｔｉｏｎｓＩｎＢｕｒｓｔで設定された同期及び／又はブロードキャスト信号ブロックと同じであるか、
或いは、
前記同期及び／又はブロードキャスト信号ブロックは、上位層シグナリングによって再設定された第一ＳＳＢフォーマットであり、前記第一ＳＳＢフォーマットは、前記ｓｓｂ−ＰｏｓｉｔｉｏｎｓＩｎＢｕｒｓｔで設定されたＳＳＢフォーマット内のサブセットである。
【００６５】
選択的に、前記第一有効なランダムアクセス機会は、上位層シグナリングによって設定された下りリンクリソース情報及び上りリンクリソース関連情報に従って特定された有効なランダムアクセス機会である。
【００６６】
選択的に、前記有効なランダムアクセス機会と、同期及び／又はブロードキャスト信号ブロックとに基づいて、アソシエーション・マッピングを行う。
【００６７】
第六態様において、本開示の実施例は、プロセッサと、メモリと、前記メモリに記憶されて前記プロセッサ上で動作可能なコンピュータプログラムとを含み、前記コンピュータプログラムが前記プロセッサによって実行されると、上記に記載のリソース処理方法が実現される、第一ノードを更に提供している。
【００６８】
第七態様において、本開示の実施例は、プロセッサと、メモリと、前記メモリに記憶されて前記プロセッサ上で動作可能なコンピュータプログラムとを含み、前記コンピュータプログラムが前記プロセッサによって実行されると、上記に記載のリソース処理方法のステップが実現される、第二ノードを更に提供している。
【００６９】
第八態様において、本開示の実施例は、プロセッサと、メモリと、前記メモリに記憶されて前記プロセッサ上で動作可能なコンピュータプログラムとを含み、前記コンピュータプログラムが前記プロセッサによって実行されると、上記に記載のリソース処理方法のステップが実現される、第三ノードを更に提供している。
【００７０】
第九態様において、本開示の実施例は、コンピュータプログラムを記憶したコンピュータ読取可能な記憶媒体であって、前記コンピュータプログラムがプロセッサによって実行されると、上記に記載のリソース処理方法が実現されること特徴とする、コンピュータ読取可能な記憶媒体を更に提供している。
【発明の効果】
【００７１】
本開示の実施例では、第一ノードが、１つ又は複数の第二ノードに、１つ又は複数の下りリンクリソースを設定し、及び／又は１つ又は複数の上りリンクリソースを設定することによって、バックホールリンクの上りリンクリソースの設定条件を制限し、第一ノードによって設定されたバックホールリンクの上りリンクリソース内に、第二ノードに必要な１つの完全なＲＯ−ＳＳＢマッピング周期が含まれるのを確保することができる。
【００７２】
そして、本開示の実施例では、第二ノードの追加の行動を必要とせずに、第一ノードによる設定で、マッピングの完全性が保証されるとともに衝突が回避され、即ち、第一ノードによる設定で、第二ノードの上りリンクリソースが完全な形で下りリンクリソースとマッピングできることを保証されるとともに、アクセスユーザとのマッピング不一致による衝突問題が回避されるため、通信の有効性及び信頼性が向上される。
【図面の簡単な説明】
【００７３】
【図１】関連技術におけるＩＡＢネットワークの模式図である。
【図２】関連技術における長期進化ＬＴＥ（Ｌｏｎｇ  Ｔｅｒｍ  Ｅｖｏｌｕｔｉｏｎ）中継（Ｒｅｌａｙ）のリソース設定の模式図である。
【図３】関連技術のＮＲにおいての関連技術によるマッピング方式の模式図である。
【図４】本開示の実施例によるリソース処理方法の模式図その一である。
【図５】本開示の実施例によるリソース処理方法の模式図その二である。
【図６】本開示の実施例によるリソース処理方法の模式図その三である。
【図７】本開示の実施例によるリソース処理方法の模式図その四である。
【図８】本開示の実施例によるリソース処理方法の模式図その五である。
【図９】本開示の実施例による第一ノードの模式図その一である。
【図１０】本開示の実施例による第二ノードの模式図その一である。
【図１１】本開示の実施例による第三ノードの模式図その一である。
【図１２】本開示の実施例による第一ノードの模式図その二である。
【図１３】本開示の実施例による第二ノードの模式図その二である。
【図１４】本開示の実施例による第三ノードの模式図その二である。
【発明を実施するための形態】
【００７４】
本開示の解決しようとする課題、技術案及び利点をより明確にするために、以下、図面及び具体的な実施例を通じて詳細に記述する。
【００７５】
本開示の明細書及び特許請求の範囲における「第一」、「第二」などの用語は、類似しているオブジェクトを区別するために使用されるものであり、必ずしも特定の順序や前後順番を記述するために使用されるとは限らない。そのように使用されるデータは、適切な状況において互いに交換可能で、それによって、本明細書において記述される本開示の実施例は、例えば、本明細書において図示又は記述される順序以外の順序で実施可能であることを理解されたい。
【００７６】
用語の説明：  
ドナー基地局（Ｄｏｎｏｒ  ｇＮＢ）（ドナーノード（Ｄｏｎｏｒ  ｎｏｄｅ）とも呼ばれてもよい）：光ファイバを介してコアネットワークに接続するアンカーノードである。
【００７７】
ＩＡＢノード（ＩＡＢ  ｎｏｄｅ）：コアネットワークへの接続用の光ファイバを持たないが、無線リンクを介してバックホール可能であるとともに、アクセス機能を提供可能なノードである。
【００７８】
上位ノード又は母ノード（Ｍｏｔｈｅｒ  ｎｏｄｅ）：あるノードに無線バックホールを提供するノードであり、例えば、図１において、ノード［１］の母ノードは、ＤｇＮＢ又はノード［２］であってもよく、ノード［３］の母ノードは、ノード［１］及び／又はノード［２］となる。
【００７９】
下位ノード又は子ノード（Ｃｈｉｌｄ  ｎｏｄｅ）：バックホール又はアクセスサービスを受けるノードであり、例えば、図１において、ノード［３］は、ノード［１］及び／又はノード［２］の子ノードとなる。
【００８０】
アクセスリンク（Ａｃｃｅｓｓ  ｌｉｎｋ）：アクセス機能を提供するリンクであり、例えば、図１において、ＤｇＮＢとＵＥ１との間のリンク、又はＩＡＢノード［１］とＵＥ２との間のリンク、又はＩＡＢノード［３］とＵＥ３との間のリンクは、何れもアクセスリンクとなる。
【００８１】
バックホールリンク（Ｂａｃｋｈａｕｌ  ｌｉｎｋ）：バックホール機能を提供するリンクであり、例えば、図１において、ＤｇＮＢとＩＡＢノード［１］、［２］との間のリンク、ＩＡＢノード［１］と［２］との間のリンク、及びＩＡＢノード［１］、［２］とノード［３］との間のリンクは、何れもバックホールリンクとなる。
【００８２】
アクセスユーザ（Ａｃｃｅｓｓ  ＵＥ）：ネットワークにアクセスしてサービスを取得するユーザであり、図１に示すＵＥ１、ＵＥ２及びＵＥ３のように、ユーザは、ＤｇＮＢにアクセスしてもよいし、ＩＡＢノードにアクセスしてもよい。
【００８３】
ＩＡＢノードは、ネットワークにアクセスする前に、端末機器（例えば：ユーザデバイスＵＥ（Ｕｓｅｒ  Ｅｑｕｉｐｍｅｎｔ））の行動に応じてセルをサーチし、システム情報を読み取り、物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）設定を取得し、有効なランダムアクセス機会Ｖａｌｉｄ  ＲＯ（Ｖａｌｉｄ  ｒａｎｄｏｍ  ａｃｃｅｓｓ  ｏｐｐｏｒｔｕｎｉｔｙ）を特定しておき、同期及び／又はブロードキャストチャネルブロックＳＳ／ＰＢＣＨ  Ｂｌｏｃｋ（Ｓｙｎｃｈｒｏｎｏｕｓ  Ｓｉｇｎａｌ／Ｐｈｙｓｉｃａｌ  Ｂｒｏａｄｃａｓｔ  Ｃｈａｎｎｅｌ  Ｂｌｏｃｋ）及びＲＯのマッピングルールに従い、適切なＲＯ位置を見つけて、ネットワークへのアクセスのためにランダムアクセスを開始する。
【００８４】
ネットワークにアクセスしたら、ネットワークは、ＩＡＢノードによるバックホール用にいくつかのリソースを特定する必要があり、ＩＡＢノードは、バックホールリンクが同期を失った後に上りリンクの同期を回復したり、バックホールリンクのビーム回復を実施するために、バックホールリンクにＰＲＡＣＨリソースが設定されることを更に必要とする。
【００８５】
長期進化ＬＴＥ（Ｌｏｎｇ  Ｔｅｒｍ  Ｅｖｏｌｕｔｉｏｎ）中継（Ｒｅｌａｙ）（ＩＡＢノードと見做せる）の設計において、バックホールリンクのリソースは、セミパーシステントにて設定されたものであり、そのうち、上りリンクリソースは、１０ミリ秒（ｍｓ）間毎に、１つの上りリンクサブフレームを固定的に指示するものである。このサブフレームに上りリンクＰＲＡＣＨ設定が含まれさえすれば、中継は、バックホールリンクにおいてランダムアクセスを開始することができる。図２に示すように、ドナーセルによって設定されたバックホールリンク上りリンクリソース（図２におけるバックホール上りリンク（Ｂａｃｋｈａｕｌ  ＵＬ、ＢＨ  ＵＬ）部分）は、１０ｍｓ間毎の最初の５ｍｓ間に位置しており、このリソースには、ドナーセルによってＰＲＡＣＨリソースが設定されさえすれば、中継ノードは、ランダムアクセスを開始することができる。
【００８６】
ＮＲにおいてのＰＲＡＣＨリソースの設定方法、及び、端末機器が有効な物理ランダムアクセスチャネル伝送機会ＲＯ（ＰＲＡＣＨ  Ｔｒａｎｓｍｉｓｓｉｏｎ  Ｏｃｃａｓｉｏｎ、又はＰＲＡＣＨ  Ｏｃｃａｓｉｏｎ）を特定し、ＲＯとＳＳＢとのアソシエーションを形成する方法：
【００８７】
１．ＰＲＡＣＨリソースの設定：
【００８８】
ａ）基地局は、システム情報ブロック１ＳＩＢ１（Ｓｙｓｔｅｍ  Ｉｎｆｏｒｍａｔｉｏｎ  Ｂｌｏｃｋ  １）内のランダムアクセスチャネル共通設定（ｒａｃｈ−ＣｏｎｆｉｇＣｏｍｍｏｎ）フィールドを通じて、セル専用（Ｃｅｌｌ−ｓｐｅｃｉｆｉｃ）のコンテンションベースランダムアクセスＣＢＲＡ（Ｃｏｎｔｅｎｔｉｏｎ  Ｂａｓｅｄ  Ｒａｎｄｏｍ  Ａｃｃｅｓｓ）及びコンテンションフリーランダムアクセスＣＦＲＡ（Ｃｏｎｔｅｎｔｉｏｎ−Ｆｒｅｅ  Ｒａｎｄｏｍ  Ａｃｃｅｓｓ）のリソースを設定すること：
ビーム障害回復ＢＦＲ（ｂｅａｍ  Ｆａｉｌｕｒｅ  Ｒｅｃｏｖｅｒｙ）を除き、全てのランダムアクセスリソースは、ｒａｃｈ−ＣｏｎｆｉｇＣｏｍｍｏｎによって設定されたＲＯにおいて送信され、
端末機器は、ＳＩＢ１内で指示された実際伝送のＳＳＢのフォーマット、及びＳＩＢ１内で設定された上りリンク及び下りリンクリソースに従って、有効なＲＯ（例えば：ＣＢＲＡ又はＣＦＲＡ）、及びＳＳＢ−ＲＯアソシエーション・マッピンを特定する。
【００８９】
ｂ）基地局は、専用（ＵＥ−ｓｐｅｃｉｆｉｃ／ｄｅｄｉｃａｔｅｄ）上りリンクＵＬ（ＵｐＬｉｎｋ）帯域幅部分ＢＷＰ（Ｂａｎｄｗｉｄｔｈ  Ｐａｒｔ）設定内のランダムアクセスチャネルビーム障害回復設定（ｒａｃｈ−ＣｏｎｆｉｇＢＦＲ）フィールドを通じて、ＢＦＲのためのＣＦＲＡリソースを設定すること：
端末機器は、ＳＩＢ１内で指示された実際伝送のＳＳＢのフォーマット、及びＳＩＢ１内で設定された上りリンク及び下りリンクリソースに従って、有効なＲＯ（例えば：ＢＦＲ）、及びＳＳＢ−ＲＯアソシエーション・マッピングを特定する。
【００９０】
２．端末機器が有効なＲＯを特定する方法：
もしＲＯが、セミパーシステントにて設定された上りリンクリソース内に入っているか、或いは１つのＰＲＡＣＨタイムスロット内にあり、ＳＳＢの前に現れず、且つＳＳＢ又は下りリンクシンボルの後のＮｇａｐ個のシンボル後にあれば、当該ＲＯは、有効なＲＯとなる。
【００９１】
３．有効なＲＯとＳＳＢとのアソシエーション・マッピングの特定：
端末機器は、有効なＲＯを判定した後、有効なＲＯと、ＳＩＢ１における、同期信号ブロックのバーストセット内の位置（ｓｓｂ−ＰｏｓｉｔｉｏｎｓＩｎＢｕｒｓｔ）で設定されたＳＳＢ及び／又はサービングセル共通設定（ＳｅｒｖｉｎｇＣｅｌｌＣｏｎｆｉｇＣｏｍｍｏｎ）における、ｓｓｂ−ＰｏｓｉｔｉｏｎｓＩｎＢｕｒｓｔで設定されたＳＳＢとのアソシエーション・マッピングを行って、ＲＯに対応するＳＳＢを判定する。
【００９２】
ＮＲの現在のプロトコルによる規定から分るように、ＮＲにおいて周期内の異なる位置にあるＲＯは、異なるＳＳＢに対応付けられる可能性があるため、異なる役割を持っており、端末機器は、いくつかの特定のＲＯにおいてランダムアクセスを開始しないと、成功にはならない。これと異なって、ＬＴＥにおいて、端末機器は、任意位置のＲＯにおいてランダムアクセスを開始することが可能である。従って、ＮＲでは、ＬＴＥのバックホールリンクのＰＲＡＣＨリソース設定の構想をそのまま利用すると、新たな問題がいくつか出てくる。
【００９３】
ＮＲにおいて、ドナーセルによって設定されたランダムアクセスリソースには、異なるＳＳＢがアソシエーションされ、図３に示すように、各々の５ｍｓ間内のＲＯは、異なるＳＳＢにアソシエーションされている。バックホールリンクの上りリンクリソースには、依然として以前の設定方法通りに一部のドナー基地局のＲＯリソースのみが含まれていれば、いくつかのＳＳＢにアソシエーションされたＰＲＡＣＨリソースが、上りリンクバックホール（Ｂａｃｋｈａｕｌ  ＵＬ、ＢＨ  ＵＬ）リソース内に含まれない事態を招く恐れがあり、図３に示すように、ＳＳＢ１及びＳＳＢ３にアソシエーションされているＲＯリソースは、バックホールリソース内に現れてしまい、そうなると、ＩＡＢノードは、ＳＳＢ２でランダムアクセスを開始する必要がある場合、対応するリソースを見つけられなくなる。
【００９４】
バックホールリンクにおいて、全てのＳＳＢはアソシエーションされているランダムアクセスリソースがあることを保証しようとするには、もう１つの簡単な方法として、ＩＡＢノードは、ＢＨ  ＵＬリソースに従って有効なＲＯを再特定して、その有効なＲＯとドナーセルのＳＳＢとをマッピングすることであり、こうすれば、バックホールリソース内のＰＲＡＣＨリソースとＳＳＢとが完全なマッピングがあることを保証できる。しかし、これに起因して、ＩＡＢノードによって特定された有効なＲＯと、ドナーセルにおける他の端末機器によって特定された有効なＲＯとは、アソシエーションされるＳＳＢが不一致となってしまい、図３に示すように、もしＢＨ  ＵＬリソース内で再マッピングした場合、３番目の５ｍｓ間内におけるＲＯについては、ＩＡＢノードは、このＲＯにアソシエーションされているのがＳＳＢ２であると認識する一方で、ドナー基地局の普通のユーザは、このＲＯにアソシエーションされているのがＳＳＢ３であると認識してしまい、こうなると、基地局は、１つのＲＯにおいて、２つのＳＳＢを用いて受信する必要があるが、高周波アナログビームアーキテクチャでは、基地局は、１つのＲＯにおいて、異なる２つのビームを用いて受信することができない。
【００９５】
図４は、本開示の実施例によるリソース処理方法の模式図であり、図４を参照して、当該方法の実行主体は第一ノードであり、当該第一ノードは、ドナー基地局であってもよく、具体的なステップは、以下の通りである。
【００９６】
ステップ４０１：セルレベルのリソース設定の他に、１つ又は複数の下りリンクリソースを設定し、及び／又は１つ又は複数の上りリンクリソースを設定する。
そのうち、前記上りリンクリソースは、少なくとも、前記下りリンクリソースに対応するランダムアクセスチャネル伝送機会を含んでもよいし、或いは、前記上りリンクリソースと、前記第一ノードによって設定されたセル専用ランダムアクセスリソースとは、時間的に直交してもよい。
【００９７】
本開示の実施例において、選択的に、設定される前記１つ又は複数の下りリンクリソース及び／又は１つ又は複数の上りリンクリソースは、セルレベル（Ｃｅｌｌ−ｓｐｅｃｉｆｉｃ）のもの又は専用（ｄｅｄｉｃａｔｅｄ）のものであり、そのうち、専用とは、ユーザレベル（ＵＥ−ｓｐｅｃｉｆｉｃ）と呼ばれてもよい。
【００９８】
本開示の実施例において、選択的に、上りリンクリソースは、物理ランダムアクセスチャネル伝送機会を含んでもよい。前記上りリンクリソースは、第二ノードのバックホールリンク用に設定された上りリンクリソースであってもよく、そのうち、第二ノードは、ＩＡＢノードであってもよい。
【００９９】
本開示の実施例において、選択的に、上りリンクリソースと、前記第一ノードによって設定されたセルレベルのランダムアクセス機会又は有効なランダムアクセス機会とは、時間的に、固定のオフセット値がある。
【０１００】
本開示の実施例において、選択的に、前記オフセット値は、第一ノードによって明示的に設定されたものであってもよい。
【０１０１】
本開示の実施例において、選択的に、前記上りリンクリソースは、前記第一ノードによって設定されたセルレベルのリソースに基づいて特定されたものであってもよい。
【０１０２】
本開示の実施例において、選択的に、前記上りリンクリソースは、前記第一ノードによって設定されたセルレベルのリソースとは独立して設定されるものであってもよい。
【０１０３】
本開示の実施例において、選択的に、下りリンクリソースは、同期及び／又はブロードキャストチャネルブロック、及び／又はチャネル状態情報基準信号を含む。
【０１０４】
本開示の実施例において、選択的に、下りリンクリソースは、第二ノードのバックホールリンク用に設定された下りリンクリソースであってもよい。
【０１０５】
本開示の実施例において、選択的に、同期及び／又はブロードキャストチャネルブロックは、前記第一ノードのシステム情報ブロック１における同期信号ブロックのバーストセット内の位置（ｓｓｂ−ＰｏｓｉｔｉｏｎｓＩｎＢｕｒｓｔ）で設定された同期及び／又はブロードキャスト信号ブロックと、前記第一ノードのサービングセル共通設定（ＳｅｒｖｉｎｇＣｅｌｌＣｏｎｆｉｇＣｏｍｍｏｎ）におけるｓｓｂ−ＰｏｓｉｔｉｏｎｓＩｎＢｕｒｓｔで設定された同期及び／又はブロードキャスト信号ブロックと、上位層シグナリングを介して前記第一ノードによって設定された同期及び／又はブロードキャスト信号ブロックとのうち、少なくとも１つである。
【０１０６】
本開示の実施例では、第一ノードが、１つ又は複数の第二ノードに、１つ又は複数の下りリンクリソースを設定し、及び／又は１つ又は複数の上りリンクリソースを設定することによって、バックホールリンクの上りリンクリソースの設定条件を制限し、第一ノードによって設定されたバックホールリンクの上りリンクリソース内に、第二ノードに必要な１つの完全なＲＯ−ＳＳＢマッピング周期が含まれるのを確保することができる。
【０１０７】
そして、本開示の実施例では、第二ノードの追加の行動を必要とせずに、第一ノードによる設定で、マッピングの完全性が保証されるとともに衝突が回避され、即ち、第一ノードによる設定で、第二ノードの上りリンクリソースが完全な形で下りリンクリソースとマッピングできることを保証されるとともに、アクセスユーザとのマッピング不一致による衝突問題が回避されるため、通信の有効性及び信頼性が向上される。
【０１０８】
図５は、本開示の実施例による別のリソース処理方法の模式図であり、図５を参照して、具体的なステップは、以下の通りである。
【０１０９】
ステップ５０１：ＵＥ−ｓｐｅｃｉｆｉｃ／ｄｅｄｉｃａｔｅｄ  ＲＲＣシグナリングを介して、第二ノードのバックホールリンクが使用可能なＳＳＢリストを設定する。
【０１１０】
本開示の実施例において、ＳＳＢリスト（ｌｉｓｔ）内のＳＳＢは、第一ノードＳＩＢ１におけるｓｓｂ−ＰｏｓｉｔｉｏｎｓＩｎＢｕｒｓｔで設定されたＳＳＢ、及び／又は、ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定されたＳＳＢであってもよい。
【０１１１】
選択的に、当該ＳＳＢリストは、ＵＥ−ｓｐｅｃｉｆｉｃ／ｄｅｄｉｃａｔｅｄ  ＲＲＣシグナリングを介して第一ノードによって第二ノード用に設定された新しい使用可能ＳＳＢリストであってもよい。理解できるように、第一ノードが新しい使用可能ＳＳＢリストを設定しなければ、上記ＳＳＢリスト内のＳＳＢは、第一ノードＳＩＢ１におけるｓｓｂ−ＰｏｓｉｔｉｏｎｓＩｎＢｕｒｓｔで設定されたＳＳＢ及び／又はＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定されたＳＳＢと同じであり得る。
【０１１２】
ステップ５０２：ＵＥ−ｓｐｅｃｉｆｉｃ／ｄｅｄｉｃａｔｅｄ  ＲＲＣシグナリングを介して第二ノードのバックホールリソースを設定し、そのうち、バックホール上りリンクリソースは、ＳＳＢリスト内のＳＳＢに対応するＲＯを含む。
【０１１３】
本開示の実施例では、ＢＨ  ＵＬリソースの設定条件を制限することで、第一ノードによって設定されたバックホールリンクの上りリンクリソース内に、ＩＡＢノードに必要な１つの完全なＲＯ−ＳＳＢマッピング周期が含まれるのを更に確保している。
【０１１４】
本開示の実施例において、第一ノードは、ＵＥ−ｓｐｅｃｉｆｉｃ／ｄｅｄｉｃａｔｅｄ  ＲＲＣシグナリングを介して、前記１つ又は複数の第二ノードにバックホールリソースを設定可能であり、こうして、バックホールリンクの上りリンクリソースの設定条件を制限し、第一ノードによって設定されたバックホールリンクの上りリンクリソース内に、第二ノードに必要な１つの完全なＲＯ−ＳＳＢマッピング周期が含まれるのを確保することができる。
【０１１５】
そして、本開示の実施例第二ノードの追加の行動を必要とせずに、第一ノードによる設定で、マッピングの完全性が保証されるとともに衝突が回避され、即ち、第一ノードによる設定で、第二ノードのＰＲＡＣＨリソースが完全な形でＳＳＢとマッピングできることを保証されるとともに、アクセスユーザとのマッピング不一致による衝突問題が回避されるため、通信の有効性及び信頼性が向上される。
【０１１６】
図６は、本開示の実施例による更に別のリソース処理方法の模式図であり、図６を参照して、当該方法の実行主体は第二ノードであり、当該第二ノードは、ＩＡＢノードであってもよく、具体的なステップは、以下の通りである。
【０１１７】
ステップ６０１：セルレベルのリソース設定の他に、第一ノードによって設定された１つ又は複数の下りリンクリソースを取得し、及び／又は第一ノードによって設定された１つ又は複数の上りリンクリソースを取得する。
そのうち、前記上りリンクリソースは、少なくとも、前記下りリンクリソースに対応するランダムアクセスチャネル伝送機会を含むか、或いは、前記上りリンクリソースと、前記第一ノードによって設定されたセルレベルのランダムアクセス機会又は有効なランダムアクセス機会とは、時間的に直交する。
【０１１８】
本開示の実施例において、選択的に、前記設定は、セルレベルのもの又はユーザレベルのものであってもよい。
【０１１９】
本開示の実施例において、選択的に、上りリンクリソースは、物理ランダムアクセスチャネル伝送機会を含んでもよい。前記上りリンクリソースは、第二ノードのバックホールリンク用に設定された上りリンクリソースであってもよい。
【０１２０】
本開示の実施例において、選択的に、上りリンクリソースと、前記第一ノードによって設定されたセル専用ランダムアクセスリソースとは、時間的に、固定のオフセット値があり、そのうち、前記第一ノードは、ドナー基地局であってもよい。前記オフセット値は、第一ノードによって明示的に設定されたものであってもよい。
【０１２１】
本開示の実施例において、選択的に、前記上りリンクリソースは、前記第一ノードによって設定されたセルレベルのリソースに基づいて特定されたものであってもよい。
【０１２２】
本開示の実施例において、選択的に、前記上りリンクリソースは、前記第一ノードによって設定されたセルレベルのリソースとは独立して設定されたものであってもよい。
【０１２３】
本開示の実施例において、選択的に、下りリンクリソースは、同期及び／又はブロードキャストチャネルブロック、及び／又はチャネル状態情報基準信号を含んでもよい。
【０１２４】
本開示の実施例において、選択的に、前記下りリンクリソースは、第二ノードのバックホールリンク用に設定された下りリンクリソースであってもよい。
【０１２５】
本開示の実施例において、選択的に、同期及び／又はブロードキャストチャネルブロックは、前記第一ノードのシステム情報ブロック１における同期信号ブロックのバーストセット内の位置（ｓｓｂ−ＰｏｓｉｔｉｏｎｓＩｎＢｕｒｓｔ）で設定された同期及び／又はブロードキャスト信号ブロックと、前記第一ノードのサービングセル共通設定（ＳｅｒｖｉｎｇＣｅｌｌＣｏｎｆｉｇＣｏｍｍｏｎ）におけるｓｓｂ−ＰｏｓｉｔｉｏｎｓＩｎＢｕｒｓｔで設定された同期及び／又はブロードキャスト信号ブロックと、上位層シグナリングを介して前記第一ノードによって設定された同期及び／又はブロードキャスト信号ブロックとのうち、少なくとも１つである。
【０１２６】
本開示の実施例において、第二ノードは、第一ノードから、第一ノードによって設定された１つ又は複数の下りリンクリソースを取得し、及び／又は第一ノードによって設定された１つ又は複数の上りリンクリソースを取得しており、こうして、バックホールリンクの上りリンクリソースの設定条件を制限し、第一ノードによって設定されたバックホールリンクの上りリンクリソース内に、第二ノードに必要な１つの完全なＲＯ−ＳＳＢマッピング周期が含まれるのを確保することができる。本開示の実施例では、第二ノードの追加の行動を必要とせずに、第一ノードによる設定で、マッピングの完全性が保証されるとともに衝突が回避され、即ち、第二ノードのＰＲＡＣＨリソースが完全な形でＳＳＢとマッピングできるとともに、アクセスユーザとのマッピング不一致による衝突問題が回避される。
【０１２７】
図７は、本開示の実施例によるリソース特定方法の模式図であり、図７を参照して、当該方法の実行主体は第三ノードであり、当該第三ノードはＩＡＢノードであってもよく、具体的なステップは、以下の通りである。
【０１２８】
ステップ７０１：バックホール関連の下りリンクリソース関連情報及び上りリンクリソース関連情報に従って、有効なランダムアクセス機会を特定する。
【０１２９】
本開示の実施例において、選択的に、バックホール関連の下りリンクリソース関連情報は、上位層シグナリングによって設定されたバックホール下りリンクリソースと、同期及び／又はブロードキャスト信号ブロックとのうち、少なくとも１つを含む。
【０１３０】
本開示の実施例において、選択的に、前記バックホール関連の上りリンクリソース関連情報は、上位層シグナリングによって設定されたバックホール上りリンクリソースと、ランダムアクセスリソースとのうち、少なくとも１つを含む。
【０１３１】
本開示の実施例において、選択的に、第一有効なランダムアクセス機会は、上位層シグナリングによって設定された下りリンクリソース情報及び上りリンクリソース関連情報に従って特定された有効なランダムアクセス機会である。
【０１３２】
本開示の実施例において、選択的に、有効なランダムアクセス機会は、
（１）バックホール上りリンクリソース内にあり、且つ第一有効なランダムアクセス機会と重ならないランダムアクセス機会、及び／又は
（２）バックホール下りリンクリソースの最終シンボルの後のＮ個の間隔シンボル後のリソース内、又は同期及び／又はブロードキャスト信号ブロックの最終シンボルの後のＮ個の間隔シンボル後のリソース内にあり、且つ第一有効なランダムアクセス機会と重ならないランダムアクセス機会、及び／又は
（３）ランダムアクセスリソースタイムスロット内の同期及び／又はブロードキャスト信号ブロックの前に現れず、バックホール下りリンクリソースの最終シンボルの後のＮ（Ｎは０以上である）個の間隔シンボル後のリソース内、又は同期及び／又はブロードキャスト信号ブロックの最終シンボルの後のＮ（Ｎは０以上である）個の間隔シンボル後のリソース内にあり、且つ第一有効なランダムアクセス機会と重ならないランダムアクセス機会を含む。
【０１３３】
本開示の実施例において、選択的に、前記同期及び／又はブロードキャスト信号ブロックは、ｓｓｂ−ＰｏｓｉｔｉｏｎｓＩｎＢｕｒｓｔで設定された同期及び／又はブロードキャスト信号ブロックと同じであるか、或いは、前記同期及び／又はブロードキャスト信号ブロックは、上位層シグナリングによって再設定された第一ＳＳＢフォーマットであり、前記第一ＳＳＢフォーマットは、前記ｓｓｂ−ＰｏｓｉｔｉｏｎｓＩｎＢｕｒｓｔで設定されたＳＳＢフォーマット内のサブセットである。
【０１３４】
本開示の実施例において、選択的に、前記有効なランダムアクセス機会と、同期及び／又はブロードキャスト信号ブロックとに基づいて、アソシエーション・マッピングを行う。
【０１３５】
本開示の実施例において、第三ノードは、バックホール関連の下りリンクリソース関連情報及び上りリンクリソース関連情報に従って、有効なランダムアクセス機会を特定しており、こうして、第一ノードの設定シグナリングを介して、バックホールリンクの伝送用に新しいＰＲＡＣＨリソースが設定され、第三ノードの有効なＲＯ判定の新基準によって、ドナーセル内で第三ノード及びアクセスユーザが完全に時分割直交するＰＲＡＣＨリソースを利用することが保証されるため、第三ノードのＰＲＡＣＨリソースが完全な形でＳＳＢとマッピングできることを保証されるとともに、アクセスユーザとのマッピング不一致による衝突問題が回避される。
【０１３６】
理解できるように、本開示の実施例では、第三ノードの追加の判定行動を取り入れる必要があるが、第一ノードに対する設定要求を多少下げてもよい。
【０１３７】
図８は、本開示の実施例による更なる別のリソース処理方法の模式図であり、図８を参照して、当該方法の実行主体は第三ノードであり、前記第三ノードはＩＡＢノードであってもよく、具体的なステップは、以下の通りである。
【０１３８】
ステップ８０１：ＵＥ−ｓｐｅｃｉｆｉｃ／ｄｅｄｉｃａｔｅｄ  ＲＲＣシグナリングによって設定されたバックホールリソース関連情報に従って、有効なＲＯを特定する。
【０１３９】
理解できるように、第三ノードは、ネットワークにアクセスする前に、関連技術における端末機器の行動に従って有効なＲＯを特定しておく。第一ノードは、ＳＩＢ１内のｒａｃｈ−ＣｏｎｆｉｇＣｏｍｍｏｎフィールドを通じて、Ｃｅｌｌ−ｓｐｅｃｉｆｉｃのＣＢＲＡ及びＣＦＲＡリソースを設定する。端末機器及びまだネットワークにアクセスしていない第三ノードは、ＳＩＢ１内で指示された実際伝送のＳＳＢのフォーマット及びＳＩＢ１内で設定された上りリンク及び下りリンクリソースに従い、関連技術におけるＮＲプロトコル内の規定に準じて、有効なＲＯ（ＣＢＲＡ／ＣＦＲＡ）、及びＳＳＢ−ＲＯのアソシエーション・マッピングを特定する。
【０１４０】
第三ノードがネットワークにアクセスしたら、第一ノードは、ＵＥ−ｓｐｅｃｉｆｉｃ／ｄｅｄｉｃａｔｅｄ  ＲＲＣシグナリングを介して、第三ノードのバックホールＵＬ時間領域リソース及びバックホールＵＬ  ＢＷＰを設定し、バックホールＵＬ  ＢＷＰ設定において、ｒａｃｈ＿ＣｏｎｆｉｇＢａｃｋｈａｕｌフィールドを通じてバックホールリンクのＰＲＡＣＨリソースを設定する。第三ノードは、ＵＥ−ｓｐｅｃｉｆｉｃ／ｄｅｄｉｃａｔｅｄ  ＲＲＣシグナリングによって設定されたバックホールリソース関連情報に従って、有効なＲＯを特定する。
【０１４１】
本開示の実施例において、ＢＨの有効なＲＯとは、（１）基地局によって設定されたＢＨ  ＵＬリソース内にあり、且つアクセスユーザの有効なＲＯと重ならない部分、（２）第一ノードによって設定されたＢＨ  ＵＬリソース内にあり、且つＳＳＢ又は下りリンクシンボルの後の  個のシンボル後のリソース内にあり、且つアクセスユーザの有効なＲＯと重ならない部分、（３）第一ノードによって設定されたＢＨ  ＵＬリソース内にあり、当該ＰＲＡＣＨタイムスロット内のＳＳＢの前に現れず、且つＳＳＢ又は下りリンクシンボルの後の  個のシンボル後のリソース内にあり、且つアクセスユーザの有効なＲＯと重ならない部分、（４）基地局によって設定されたバックホールリンクのＰＲＡＣＨリソース内にあり、且つアクセスユーザの有効なＲＯと重ならない部分のうち、少なくとも１つである。
【０１４２】
ステップ８０２：ステップ８０１で特定された有効なＲＯ、及びＲＲＣシグナリングによって指示されたバックホールリンクのＳＳＢフォーマットに従って、ＳＳＢ−ＲＯアソシエーション・マッピングを特定する。
【０１４３】
そのうち、バックホールリンクのＳＳＢフォーマットは、ｓｓｂ−ＰｏｓｉｔｉｏｎｓＩｎＢｕｒｓｔで設定されたＳＳＢフォーマットと同じであってもよいし、或いは、ＲＲＣシグナリングによって再設定されたｓｓｂ−ＰｏｓｉｔｉｏｎｓＩｎＢｕｒｓｔで設定されたＳＳＢフォーマットのサブセットであってもよい。
【０１４４】
本開示の実施例において、第三ノードは、ＵＥ−ｓｐｅｃｉｆｉｃ／ｄｅｄｉｃａｔｅｄ  ＲＲＣシグナリングによって設定されたバックホールリソース関連情報に従って、有効なＲＯを特定し、更に、第三ノードは、ステップ８０１で特定された有効なＲＯ、及びＲＲＣシグナリングによって指示されたバックホールリンクのＳＳＢフォーマットに従って、ＳＳＢ−ＲＯアソシエーション・マッピングを特定しており、こうして、第一ノードの設定シグナリングを介して、バックホールリンクの伝送用に新しいＰＲＡＣＨリソースが設定され、第三ノードの有効なＲＯ判定の新基準によって、ドナーセル内で第三ノード及びアクセスユーザが完全に時分割直交するＰＲＡＣＨリソースを利用することが保証されるため、第三ノードのＰＲＡＣＨリソースが完全な形でＳＳＢとマッピングできることを保証されるとともに、アクセスユーザとのマッピング不一致による衝突問題が回避される。本開示の実施例では、第三ノードの追加の判定行動を取り入れる必要があるが、第一ノードに対する設定要求を多少下げてもよい。
【０１４５】
本開示の実施例では、第一ノード、第二ノード及び第三ノード更に提供されているが、第一ノード、第二ノード及び第三ノードは、課題を解決する原理が本開示の実施例に係るリソース処理方法と類似しているため、当該第一ノード、第二ノード及び第三ノードの実施について、方法の実施を参照可能であり、重複部分を繰り返して説明しない。
【０１４６】
図９を参照して、本開示の実施例は、第一送受信機９０１及び第一プロセッサ９０２を含み、
前記第一送受信機９０１は、セルレベルのリソース設定の他に、１つ又は複数の下りリンクリソースを設定し、及び／又は１つ又は複数の上りリンクリソースを設定するためのものである、第一ノード９００を提供している。
【０１４７】
選択的に、前記上りリンクリソースは、少なくとも、前記下りリンクリソースに対応するランダムアクセスチャネル伝送機会を含むか、或いは、前記上りリンクリソースと、前記第一ノードによって設定されたセル専用ランダムアクセスリソースとは、時間的に直交する。
【０１４８】
選択的に、前記設定される１つ又は複数の下りリンクリソース及び／又は１つ又は複数の上りリンクリソースは、セルレベルのもの又はユーザレベルのものである。
【０１４９】
選択的に、前記下りリンクリソースは、同期及び／又はブロードキャストチャネルブロック、及び／又はチャネル状態情報基準信号を含む。
【０１５０】
選択的に、前記下りリンクリソースは、第二ノードのバックホールリンク用に設定される下りリンクリソースである。
【０１５１】
選択的に、前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである。
【０１５２】
選択的に、前記上りリンクリソースは、物理ランダムアクセスチャネル伝送機会を含む。
【０１５３】
選択的に、前記上りリンクリソースは、第二ノードのバックホールリンク用に設定される上りリンクリソースである。
【０１５４】
選択的に、前記上りリンクリソースと、前記第一ノードによって設定されたセルレベルのランダムアクセス機会又は有効なランダムアクセス機会とは、時間的に、固定のオフセット値がある。
【０１５５】
選択的に、前記オフセット値は、第一ノードによって明示的に設定されたものである。
【０１５６】
選択的に、前記上りリンクリソースは、前記第一ノードによって設定されたセルレベルのリソースに基づいて特定されたものである。
【０１５７】
選択的に、前記上りリンクリソースは、前記第一ノードによって設定されたセルレベルのリソースとは独立して設定されたものであることを特徴とする。
【０１５８】
説明すべきなのは、本開示の実施例による第一ノードは、図４及び図５の方法実施例における各手順を実現できるが、その実現原理及び技術的効果が類似しており、本実施例では、ここで繰り返して説明しない。
【０１５９】
図１０を参照して、本開示の実施例は、第二送受信機１００１及び第二プロセッサ１００２を含み、
前記第二送受信機１００１は、セルレベルのリソース設定の他に、第一ノードによって設定された１つ又は複数の下りリンクリソースを取得し、及び／又は第一ノードによって設定された１つ又は複数の上りリンクリソースを取得するためのものである、第二ノード１０００を更に提供している。
【０１６０】
選択的に、前記上りリンクリソースは、少なくとも、前記下りリンクリソースに対応するランダムアクセスチャネル伝送機会を含むか、或いは、前記上りリンクリソースと、前記第一ノードによって設定されたセル専用ランダムアクセスリソースとは、時間的に直交する。
【０１６１】
選択的に、前記設定された１つ又は複数の下りリンクリソース及び／又は１つ又は複数の上りリンクリソースは、セルレベルのもの又はユーザレベルのものである。
【０１６２】
選択的に、前記下りリンクリソースは、同期及び／又はブロードキャストチャネルブロック、及び／又はチャネル状態情報基準信号を含む。
【０１６３】
選択的に、前記下りリンクリソースは、第二ノードのバックホールリンク用に設定された下りリンクリソースである。
【０１６４】
選択的に、前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである。
【０１６５】
選択的に、前記上りリンクリソースは、物理ランダムアクセスチャネル伝送機会を含む。
【０１６６】
選択的に、前記上りリンクリソースは、第二ノードのバックホールリンク用に設定された上りリンクリソースである。
【０１６７】
選択的に、前記上りリンクリソースと、前記第一ノードによって設定されたセルレベルのランダムアクセス機会又は有効なランダムアクセス機会とは、時間的に、固定のオフセット値がある。
【０１６８】
選択的に、前記オフセット値は、第一ノードによって明示的に設定されたものである。
【０１６９】
選択的に、前記上りリンクリソースは、前記第一ノードによって設定されたセルレベルのリソースに基づいて特定されたものである。
【０１７０】
選択的に、前記上りリンクリソースは、前記第一ノードによって設定されたセルレベルのリソースとは独立して設定されたものであることを特徴とする。
【０１７１】
説明すべきなのは、本開示の実施例による第二ノードは、図６の方法実施例における各手順を実現できるが、重複を避けるため、ここで繰り返して説明しない。
【０１７２】
図１１を参照して、本開示の実施例は、第三送受信機１１０１及び第三プロセッサ１１０２を含み、
前記第三プロセッサ１１０２は、バックホール関連の下りリンクリソース関連情報及び上りリンクリソース関連情報に従って、有効なランダムアクセス機会を特定するためのものである、第三ノード１１００を更に提供している。
【０１７３】
選択的に、前記バックホール関連の下りリンクリソース関連情報は、上位層シグナリングによって設定されたバックホール下りリンクリソースと、同期及び／又はブロードキャスト信号ブロックとのうち、少なくとも１つを含む。
【０１７４】
選択的に、前記バックホール関連の上りリンクリソース関連情報は、上位層シグナリングによって設定されたバックホール上りリンクリソースと、ランダムアクセスリソースとのうち、少なくとも１つを含む。
【０１７５】
選択的に、前記有効なランダムアクセス機会は、前記バックホール上りリンクリソース内にあり、且つ第一有効なランダムアクセス機会と重ならないランダムアクセス機会、及び／又は前記バックホール下りリンクリソースの最終シンボルの後のＮ個の間隔シンボル後のリソース内、又は前記同期及び／又はブロードキャスト信号ブロックの最終シンボルの後のＮ個の間隔シンボル後のリソース内にあり、且つ第一有効なランダムアクセス機会と重ならないランダムアクセス機会、及び／又は前記ランダムアクセスリソースタイムスロット内の同期及び／又はブロードキャスト信号ブロックの前に現れず、前記バックホール下りリンクリソースの最終シンボルの後のＮ（Ｎは０以上である）個の間隔シンボル後のリソース内、又は前記同期及び／又はブロードキャスト信号ブロックの最終シンボルの後のＮ（Ｎは０以上である）個の間隔シンボル後のリソース内にあり、且つ第一有効なランダムアクセス機会と重ならないランダムアクセス機会を含む。
【０１７６】
選択的に、前記同期及び／又はブロードキャスト信号ブロックは、ｓｓｂ−ＰｏｓｉｔｉｏｎｓＩｎＢｕｒｓｔで設定された同期及び／又はブロードキャスト信号ブロックと同じであるか、或いは、前記同期及び／又はブロードキャスト信号ブロックは、上位層シグナリングによって再設定された第一ＳＳＢフォーマットであり、前記第一ＳＳＢフォーマットは、前記ｓｓｂ−ＰｏｓｉｔｉｏｎｓＩｎＢｕｒｓｔで設定されたＳＳＢフォーマット内のサブセットである。
【０１７７】
選択的に、前記第一有効なランダムアクセス機会は、上位層シグナリングによって設定された下りリンクリソース情報及び上りリンクリソース関連情報に従って特定された有効なランダムアクセス機会である。
【０１７８】
選択的に、前記有効なランダムアクセス機会と、同期及び／又はブロードキャスト信号ブロックとに基づいて、アソシエーション・マッピングを行う。
【０１７９】
説明すべきなのは、本開示の実施例による第三ノードは、図７及び図８の方法実施例における各手順を実現できるが、重複を避けるため、ここで繰り返して説明しない。
【０１８０】
リモート干渉の問題を解決するために、本開示の実施例では、第一ノード、第二ノード及び第三ノード更に提供されているが、第一ノード、第二ノード及び第三ノードについては、課題を解決する原理が本開示の実施例に係るリソース処理方法と類似しているため、当該第一ノード、第二ノード及び第三ノードの実施について、方法の実施を参照可能であり、重複部分を繰り返して説明しない。
【０１８１】
図１２は、本開示の実施例による第一ノードの構造模式図であり、図１２に示すように、第一ノード１２００は、プロセッサ１２０１、送受信機１２０２、メモリ１２０３及びバスインターフェースを含む。
【０１８２】
本開示の実施例において、第一ノード１２００は、メモリ１２０３に記憶されてプロセッサ１２０１上で動作可能なコンピュータプログラムを更に含み、コンピュータプログラムがプロセッサ１２０１によって実行されると、１つ又は複数の下りリンクリソースを設定し、及び／又は１つ又は複数の上りリンクリソースを設定するステップが実現され、ここで、前記上りリンクリソースは、少なくとも、前記下りリンクリソースに対応するランダムアクセスチャネル伝送機会を含むか、或いは、前記上りリンクリソースと、前記第一ノードによって設定されたセル専用ランダムアクセスリソースとは、時間的に直交する。
【０１８３】
図１２において、バスアーキテクチャは、任意数の相互接続されたバス及びブリッジを含んでもよく、具体的には、プロセッサ１２０１をはじめとした１つ又は複数のプロセッサと、メモリ１２０３をはじめとしたメモリとの各種回路が繋げられている。バスアーキテクチャは、周辺機器、電圧レギュレータや電力管理回路等の様々な他の回路を互いに繋げることも可能であるが、これらは、当分野において公知されているため、本明細書において、さらなる説明をしない。バスインターフェースは、インターフェースを提供するものである。送受信機１２０２は、複数の素子、即ち送信機及び受信機を含んでもよく、伝送媒体にて様々な他の装置と通信するためのユニットを提供するものである。
【０１８４】
プロセッサ１２０１は、バスアーキテクチャ及び一般的な処理の管理を担っており、メモリ１２０３は、プロセッサ１２０１による実行操作時に用いられるデータを記憶可能である。
【０１８５】
本開示の実施例による第一ノードは、図４及び図５の方法実施例における各手順を実現できるが、重複を避けるため、ここで繰り返して説明しない。
【０１８６】
図１３は、本開示の実施例による第二ノードの構造模式図であり、図１３に示すように、第二ノード１３００は、プロセッサ１３０１、送受信機１３０２、メモリ１３０３及びバスインターフェースを含み、第一ノードによって設定された１つ又は複数の下りリンクリソースを取得し、及び／又は第一ノードによって設定された１つ又は複数の上りリンクリソースを取得し、前記上りリンクリソースは、少なくとも、前記下りリンクリソースに対応するランダムアクセスチャネル伝送機会を含むか、或いは、前記上りリンクリソースと、前記第一ノードによって設定されたセル専用ランダムアクセスリソースとは、時間的に直交する。
【０１８７】
本開示の実施例において、第二ノード１３００は、メモリ１３０３に記憶されてプロセッサ１３０１上で動作可能なコンピュータプログラムを更に含み、コンピュータプログラムがプロセッサ１３０１によって実行されると、第一ノードによって設定された１つ又は複数の下りリンクリソースを取得し、及び／又は第一ノードによって設定された１つ又は複数の上りリンクリソースを取得するステップが実現され、ここで、前記上りリンクリソースは、少なくとも、前記下りリンクリソースに対応するランダムアクセスチャネル伝送機会を含むか、或いは、前記上りリンクリソースと、前記第一ノードによって設定されたセル専用ランダムアクセスリソースとは、時間的に直交する。
【０１８８】
図１３において、バスアーキテクチャは、任意数の相互接続されたバス及びブリッジを含んでもよく、具体的には、プロセッサ１３０１をはじめとした１つ又は複数のプロセッサと、メモリ１３０３をはじめとしたメモリとの各種回路が繋げられている。バスアーキテクチャは、周辺機器、電圧レギュレータや電力管理回路等の様々な他の回路を互いに繋げることも可能であるが、これらは、当分野において公知されているため、本明細書において、さらなる説明をしない。バスインターフェースは、インターフェースを提供するものである。送受信機１３０２は、複数の素子であってもよく、即ち送信機及び受信機を含んでもよく、伝送媒体にて様々な他の装置と通信するためのユニットを提供するものである。
【０１８９】
プロセッサ１３０１は、バスアーキテクチャ及び一般的な処理の管理を担っており、メモリ１３０３は、プロセッサ１３０１による操作実行時に用いられるデータを記憶可能である。
【０１９０】
本開示の実施例による第二ノードは、図６の方法実施例における各手順を実現できるが、重複を避けるため、ここで繰り返して説明しない。
【０１９１】
図１４は、本開示の実施例による第三ノードの構造模式図であり、図１４に示すように、第三ノード１４００は、プロセッサ１４０１、送受信機１４０２、メモリ１４０３及びバスインターフェースを含む。
【０１９２】
本開示の実施例において、第三ノード１４００は、メモリ１４０３に記憶されてプロセッサ１４０１上で動作可能なコンピュータプログラムを更に含み、コンピュータプログラムがプロセッサ１４０１によって実行されると、バックホール関連の下りリンクリソース関連情報及び上りリンクリソース関連情報に従って、有効なランダムアクセス機会を特定するステップが実現される。
【０１９３】
図１４において、バスアーキテクチャは、任意数の相互接続されたバス及びブリッジを含んでもよく、具体的には、プロセッサ１４０１をはじめとした１つ又は複数のプロセッサと、メモリ１４０３をはじめとしたメモリとの各種回路が繋げられている。バスアーキテクチャは、周辺機器、電圧レギュレータや電力管理回路等の様々な他の回路を互いに繋げることも可能であるが、これらは、当分野において公知されているため、本明細書において、さらなる説明をしない。バスインターフェースは、インターフェースを提供するものである。送受信機１４０２は、複数の素子であってもよく、即ち送信機及び受信機を含んでもよく、伝送媒体にて様々な他の装置と通信するためのユニットを提供するものである。
【０１９４】
プロセッサ１４０１は、バスアーキテクチャ及び一般的な処理の管理を担っており、メモリ１４０３は、プロセッサ１４０１による操作実行時に用いられるデータを記憶可能である。
【０１９５】
本開示の実施例による第三ノードは、図７及び図８の方法実施例における各手順を実現できるが、重複を避けるため、ここで繰り返して説明しない。
【０１９６】
本開示の実施例、コンピュータプログラムを記憶したコンピュータ読取可能な記憶媒体を更に提供しており、当該プログラムがプロセッサによって実行されると、上記に記載のシステムメッセージ処理方法又はシステムメッセージ設定方法におけるステップが実現される。
【０１９７】
理解されたいのは、明細書の全文にわたって言及されている「１つの実施例」や「一実施例」とは、実施例に関する特定の特徴、構造又は特性が本開示の少なくとも１つの実施例に含まれることを意味する。従って、明細書全体の各箇所に記載されている「１つの実施例において」や「一実施例において」とは、必ずしも同一実施例を指すとは限らない。なお、これらの特定の特徴、構造又は特性は、任意かつ適切な方式で１つ又は複数の実施例に組み入れられてもよい。
【０１９８】
本開示の各実施例において、上記各手順の番号の大きさは、実行順の前後を意味するのではなく、各手順の実行順は、その機能及び内在的なロジックによって特定されるものであり、本開示の実施例の実施手順に対して如何なる限定を構成しないと理解されたい。
【０１９９】
本願による実施例において、「Ａに対応するＢ」とは、ＢとＡとが関連付けられており、Ａに基づいてＢを特定できることを示すと理解されたい。なお、Ａに基づいてＢを特定することは、Ａのみに基づいてＢを特定するという意味ではなく、Ａ及び／又は他の情報に基づいてＢを特定してもよい。
【０２００】
本願によるいくつかの実施例において、開示された方法及び装置が他の方式で実現され得ることを理解されたい。例えば、上記で説明した装置実施例は、例示的なものに過ぎない。例えば、前記ユニットの分割は、論理機能での分割に過ぎず、実際の実現のとき、他の分割方式もあり得る。例えば、複数のユニット又はコンポーネントは、別のシステムに組み合わせられるか、或いは統合されてもよいし、いくつかの特徴が無視されるか、或いは実行されなくてもよい。さらに、掲示又は説明した相互結合、直接結合又は通信接続は、いくつかのインターフェースを用いて実行されてもよい。装置間又はユニット間の間接結合又は通信接続は、電子的な形態、機械的な形態、又は他の形態であってもよい。
【０２０１】
また、本開示の各実施例における各機能ユニットは、１つの処理ユニットに統合されていてもよいし、各ユニットは、個別に物理的に設けられてもよいし、２つ以上のユニットは、１つのユニットに統合されてもよい。上記の統合されたユニットは、ハードウェアの形態で実現してもよいし、ハードウェアにソフトウェア機能ユニットを加える形態で実現してもよい。
【０２０２】
当業者であれば、本明細書に開示の実施例を関連して説明した各例におけるユニット及びアルゴリズムステップは、電子ハードウェア、又はコンピュータソフトウェアと電子ハードウェアとの組合せによって実行できることに気づき得る。これらの機能がハードウェアによって実行されるか、それともソフトウェアによって実行されるかは、技術案の特定適用及び設計制約要件に依存する。当業者は、特定の適用ごとに、説明した機能を実行するために異なる方法を使用し得るが、このような実行形態は、本開示の範囲外と見なされるべきではない。電子ハードウェアには、電子回路、特定用途向け集積回路、プログラマブルロジックデバイス、プログラマブルプロセッサ等が含まれるが、これらに限定されない。
【０２０３】
上記のソフトウェア機能ユニットの形態で実現される統合化ユニットは、コンピュータ読取可能な記憶媒体に記憶されてもよい。上記ソフトウェア機能ユニットは、記憶媒体に記憶され、本開示の各実施例に記載の送受信方法のステップの一部をコンピュータ機器（パーソナルコンピュータ、サーバ、又はネットワーク側機器などであってもよい）に実行させるいくつかの指令を含む。前記の記憶媒体は、ＵＳＢディスク、ポータブルハードディスク、読取専用メモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど、プログラムコードを格納できる様々な媒体を含む。
【０２０４】
上述したのは、本開示の選択的な実施形態であり、注意すべきことは、当業者にとって、本開示に記載の原理を逸脱しない前提で、若干の改良及び潤色を更に行うことが可能であり、これらの改良及び潤色も本開示の保護範囲内であると見なされるべきである。
【図１】
2021534649.tif 000003
【図２】
2021534649.tif 000004
【図３】
2021534649.tif 000005
【図４】
2021534649.tif 000006
【図５】
2021534649.tif 000007
【図６】
2021534649.tif 000008
【図７】
2021534649.tif 000009
【図８】
2021534649.tif 000010
【図９】
2021534649.tif 000011
【図１０】
2021534649.tif 000012
【図１１】
2021534649.tif 000013
【図１２】
2021534649.tif 000014
【図１３】
2021534649.tif 000015
【図１４】
2021534649.tif 000016
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
第一ノードに適用されるリソース処理方法であって、
セルレベルのリソース設定の他に、１つ又は複数の下りリンクリソースを設定し、及び／又は１つ又は複数の上りリンクリソースを設定することを含む、リソース処理方法。
【請求項２】
前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交し、
又は、
前記設定される１つ又は複数の下りリンクリソース及び／又は１つ又は複数の上りリンクリソースは、セルレベルのもの又は専用のものであり、
又は、
前記下りリンクリソースは、第二ノードのバックホールリンク用に設定される下りリンクリソースであり、
又は、
前記上りリンクリソースは、物理ランダムアクセスチャネル伝送機会を含み、
又は、
前記上りリンクリソースは、第二ノードのバックホールリンク用に設定される上りリンクリソースであり、
又は、
前記上りリンクリソースは、前記第一ノードによって設定されたセルレベルのリソースに基づいて特定されたものであり、
又は、
前記上りリンクリソースは、前記第一ノードによって設定されたセルレベルのリソースとは独立して設定されたものである、
請求項１に記載の方法。
【請求項３】
前記下りリンクリソースは、同期及び／又はブロードキャストチャネルブロック、及び／又はチャネル状態情報基準信号を含み、
前記同期及び／又はブロードキャストチャネルブロックは、
前記第一ノードのシステム情報ブロック１における、同期信号ブロックＳＳＢ（Ｓｙｎｃｈｒｏｎｏｕｓ  Ｓｉｇｎａｌ  Ｂｌｏｃｋ）のバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである、請求項１に記載の方法。
【請求項４】
前記上りリンクリソースと、前記第一ノードによって設定されたセルレベルのランダムアクセス機会又は有効なランダムアクセス機会とは、時間的に、固定のオフセット値があり、
前記オフセット値は、第一ノードによって明示的に設定されたものである、請求項１に記載の方法。
【請求項５】
第二ノードに適用されるリソース処理方法であって、
セルレベルのリソース設定の他に、第一ノードによって設定された１つ又は複数の下りリンクリソースを取得し、及び／又は第一ノードによって設定された１つ又は複数の上りリンクリソースを取得することを含む、リソース処理方法。
【請求項６】
前記上りリンクリソースは、少なくとも、前記下りリンクリソースに対応するランダムアクセスチャネル伝送機会を含むか、或いは、
前記上りリンクリソースと、前記第一ノードによって設定されたセルレベルのランダムアクセス機会又は有効なランダムアクセス機会とは、時間的に直交し、
又は、
前記設定された１つ又は複数の下りリンクリソース及び／又は１つ又は複数の上りリンクリソースは、セルレベルのもの又は専用のものであり、
又は、
前記下りリンクリソースは、第二ノードのバックホールリンク用に設定された下りリンクリソースである、請求項５に記載の方法。
【請求項７】
前記下りリンクリソースは、同期及び／又はブロードキャストチャネルブロック、及び／又はチャネル状態情報基準信号を含み、
前記同期及び／又はブロードキャストチャネルブロックは、
前記第一ノードのシステム情報ブロック１における、同期信号ブロックのバーストセット内の位置ｓｓｂ−ＰｏｓｉｔｉｏｎｓＩｎＢｕｒｓｔで設定された同期及び／又はブロードキャスト信号ブロックと、
前記第一ノードのサービングセル共通設定ＳｅｒｖｉｎｇＣｅｌｌＣｏｎｆｉｇＣｏｍｍｏｎにおけるｓｓｂ−ＰｏｓｉｔｉｏｎｓＩｎＢｕｒｓｔで設定された同期及び／又はブロードキャスト信号ブロックと、
上位層シグナリングを介して前記第一ノードによって設定された同期及び／又はブロードキャスト信号ブロックとのうち、少なくとも１つである、請求項５に記載の方法。
【請求項８】
前記上りリンクリソースは、物理ランダムアクセスチャネル伝送機会を含み、
又は、
前記上りリンクリソースは、第二ノードのバックホールリンク用に設定された上りリンクリソースであり、
又は、
前記上りリンクリソースと、前記第一ノードによって設定されたセルレベルのランダムアクセス機会又は有効なランダムアクセス機会とは、時間的に、固定のオフセット値があり、
前記オフセット値は、第一ノードによって明示的に設定されたものであり、
又は、
前記上りリンクリソースは、前記第一ノードによって設定されたセルレベルのリソースに基づいて特定されたものであり、
又は、
前記上りリンクリソースは、前記第一ノードによって設定されたセルレベルのリソースとは独立して設定されたものである、請求項５に記載の方法。
【請求項９】
第三ノードに適用されるリソース処理方法であって、
バックホール関連の下りリンクリソース関連情報及び上りリンクリソース関連情報に従って、有効なランダムアクセス機会を特定することを含む、リソース処理方法。
【請求項１０】
前記バックホール関連の下りリンクリソース関連情報は、
上位層シグナリングによって設定されたバックホール下りリンクリソースと、
同期及び／又はブロードキャスト信号ブロックとのうち、少なくとも１つを含み、
又は、
前記バックホール関連の上りリンクリソース関連情報は、
上位層シグナリングによって設定されたバックホール上りリンクリソースと、
ランダムアクセスリソースとのうち、少なくとも１つを含み、
又は、
前記同期及び／又はブロードキャスト信号ブロックは、ｓｓｂ−ＰｏｓｉｔｉｏｎｓＩｎＢｕｒｓｔで設定された同期及び／又はブロードキャスト信号ブロックと同じであり、
又は、
前記同期及び／又はブロードキャスト信号ブロックは、上位層シグナリングによって再設定された第一ＳＳＢフォーマットであり、前記第一ＳＳＢフォーマットは、前記ｓｓｂ−ＰｏｓｉｔｉｏｎｓＩｎＢｕｒｓｔで設定されたＳＳＢフォーマット内のサブセットである、請求項９に記載の方法。
【請求項１１】
前記有効なランダムアクセス機会は、
前記バックホール上りリンクリソース内にあり、且つ第一有効なランダムアクセス機会と重ならないランダムアクセス機会、及び／又は
前記バックホール下りリンクリソースの最終シンボルの後のＮ個の間隔シンボル後のリソース内、又は前記同期及び／又はブロードキャスト信号ブロックの最終シンボルの後のＮ個の間隔シンボル後のリソース内にあり、且つ第一有効なランダムアクセス機会と重ならないランダムアクセス機会、及び／又は
前記ランダムアクセスリソースタイムスロット内の同期及び／又はブロードキャスト信号ブロックの前に現れず、前記バックホール下りリンクリソースの最終シンボルの後のＮ（Ｎは０以上である）個の間隔シンボル後のリソース内、又は前記同期及び／又はブロードキャスト信号ブロックの最終シンボルの後のＮ（Ｎは０以上である）個の間隔シンボル後のリソース内にあり、且つ第一有効なランダムアクセス機会と重ならないランダムアクセス機会を含む、請求項９または１０に記載の方法。
【請求項１２】
前記第一有効なランダムアクセス機会は、上位層シグナリングによって設定された下りリンクリソース情報及び上りリンクリソース関連情報に従って特定された有効なランダムアクセス機会である、請求項１１に記載の方法。
【請求項１３】
第一送受信機及び第一プロセッサを含み、
前記第一送受信機は、セルレベルのリソース設定の他に、１つ又は複数の下りリンクリソースを設定し、及び／又は１つ又は複数の上りリンクリソースを設定するためのものである、第一ノード。
【請求項１４】
第二送受信機及び第二プロセッサを含み、
前記第二送受信機は、セルレベルのリソース設定の他に、第一ノードによって設定された１つ又は複数の下りリンクリソースを取得し、及び／又は第一ノードによって設定された１つ又は複数の上りリンクリソースを取得するためのものである、第二ノード。
【請求項１５】
第三送受信機及び第三プロセッサを含み、
前記第三プロセッサは、バックホール関連の下りリンクリソース関連情報及び上りリンクリソース関連情報に従って、有効なランダムアクセス機会を特定するためのものである、第三ノード。
【手続補正２】
【補正対象書類名】明細書
【補正対象項目名】００２９
【補正方法】変更
【補正の内容】
【００２９】
第三態様において、本開示の実施例は、第三ノードに適用されるリソース処理方法であって、
バックホール関連の下りリンクリソース関連情報及び上りリンクリソース関連情報に従って、有効なランダムアクセス機会を特定することを含む、リソース処理方法を更に提供している。
【手続補正３】
【補正対象書類名】明細書
【補正対象項目名】００３６
【補正方法】変更
【補正の内容】
【００３６】
第四態様において、本開示の実施例は、第一送受信機及び第一プロセッサを含み、
前記第一送受信機は、セルレベルのリソース設定の他に、１つ又は複数の下りリンクリソースを設定し、及び／又は１つ又は複数の上りリンクリソースを設定するためのものである、第一ノードを更に提供している。
【手続補正４】
【補正対象書類名】明細書
【補正対象項目名】００４８
【補正方法】変更
【補正の内容】
【００４８】
第五態様において、本開示の実施例は、第二送受信機及び第二プロセッサを含み、
前記第二送受信機は、セルレベルのリソース設定の他に、第一ノードによって設定された１つ又は複数の下りリンクリソースを取得し、及び／又は第一ノードによって設定された１つ又は複数の上りリンクリソースを取得するためのものである、第二ノードを更に提供している。
【手続補正５】
【補正対象書類名】明細書
【補正対象項目名】００６０
【補正方法】変更
【補正の内容】
【００６０】
第六態様において、本開示の実施例は、第三送受信機及び第三プロセッサを含み、
前記第三プロセッサは、バックホール関連の下りリンクリソース関連情報及び上りリンクリソース関連情報に従って、有効なランダムアクセス機会を特定するためのものである、第三ノードを更に提供している。
【手続補正６】
【補正対象書類名】明細書
【補正対象項目名】００６７
【補正方法】変更
【補正の内容】
【００６７】
第七態様において、本開示の実施例は、プロセッサと、メモリと、前記メモリに記憶されて前記プロセッサ上で動作可能なコンピュータプログラムとを含み、前記コンピュータプログラムが前記プロセッサによって実行されると、上記に記載のリソース処理方法が実現される、第一ノードを更に提供している。
【手続補正７】
【補正対象書類名】明細書
【補正対象項目名】００６８
【補正方法】変更
【補正の内容】
【００６８】
第八態様において、本開示の実施例は、プロセッサと、メモリと、前記メモリに記憶されて前記プロセッサ上で動作可能なコンピュータプログラムとを含み、前記コンピュータプログラムが前記プロセッサによって実行されると、上記に記載のリソース処理方法のステップが実現される、第二ノードを更に提供している。
【手続補正８】
【補正対象書類名】明細書
【補正対象項目名】００６９
【補正方法】変更
【補正の内容】
【００６９】
第九態様において、本開示の実施例は、プロセッサと、メモリと、前記メモリに記憶されて前記プロセッサ上で動作可能なコンピュータプログラムとを含み、前記コンピュータプログラムが前記プロセッサによって実行されると、上記に記載のリソース処理方法のステップが実現される、第三ノードを更に提供している。
【手続補正９】
【補正対象書類名】明細書
【補正対象項目名】００７０
【補正方法】変更
【補正の内容】
【００７０】
第十態様において、本開示の実施例は、コンピュータプログラムを記憶したコンピュータ読取可能な記憶媒体であって、前記コンピュータプログラムがプロセッサによって実行されると、上記に記載のリソース処理方法が実現されること特徴とする、コンピュータ読取可能な記憶媒体を更に提供している。
【国際調査報告】
2021534649.tif 000017
2021534649.tif 000018
2021534649.tif 000019
2021534649.tif 000020